(57)【要約】      （修正有）【課題】多様な機能を持っている自走式電気掃除機を提供する。【解決手段】本体と、集塵箱と、ファンユニット１３と、移動ユニット１４と、を備える。本体は、収容腔１１４と、入風通路１１５と、排風通路１１６と、を備える。収容腔１１４は本体の頂面に設けられ、ファンユニット１３は収容腔１１４に設置される。集塵箱はファンユニット１３の上に位置するように収容腔１１４内に取り付けられる。入風通路１１５の入口は収容腔１１４と連通するように底面に設けられ、排風通路１１６の出口は側面に設けられる。入風通路１１５と排風通路１１６とは、集塵箱とファンユニット１３により互いに連通される。除湿ユニット１４は収容腔１１４の側壁に設置される加熱冷却部材を備える。加熱冷却部材は集塵箱に近接して設置される冷却端と、それと相対するように排風通路１１６の上に設置されている加熱端と、を備える。【選択図】図２
0003184968.tif 000002
【実用新案登録請求の範囲】
【請求項１】
本体と、集塵箱と、ファンユニットと、移動ユニットと、を備え、前記本体は、底面と、前記底面と対向する頂面と、前記頂面と前記底面を連結する側面と、を備え、前記移動ユニットは、前記底面に設置されている自走式電気掃除機において、
前記本体は、収容腔と、入風通路と、排風通路と、をさらに備え、前記収容腔は、前記本体の頂面に設けられており、前記ファンユニットは、前記収容腔に設置されており、前記集塵箱の形状は、前記収容腔と組み合えるように形成されており、前記集塵箱は、前記ファンユニットの上に位置するように前記収容腔内に取り付けられており、前記入風通路の入口は、前記底面に設けられ、且つ前記収容腔と連通されており、前記排風通路の出口は、前記側面に設けられており、前記入風通路と前記排風通路とは、両方とも前記本体と連通され、且つ前記集塵箱と前記ファンユニットにより互いに連通されており、前記除湿ユニットは、前記収容腔の側壁に設置されている加熱冷却部材を備え、前記加熱冷却部材は、前記集塵箱に近接して設置されている冷却端と、前記冷却端と相対するよう前記排風通路の上に設置されている加熱端と、を備えることを特徴とする自走式電気掃除機。
【請求項２】
前記集塵箱内には、埃又はゴミを濾過する濾過網が設置されていることを特徴とする請求項１に記載の自走式電気掃除機。
【請求項３】
前記除湿ユニットは、前記加熱冷却部材の冷却端により集塵箱の温度を下げて、空気が集塵箱を通過する時に空気中の部分の水分が凝結作用により集塵箱の内壁に付着するようにするとともに、空気が排風通路から排出される時は、加熱端により空気を加熱して排出される空気中の湿度を下げることを特徴とする請求項１に記載の自走式電気掃除機。
【請求項４】
冷却端と伝熱できるように前記集塵箱を熱伝導率の高い材料から製造して、集塵箱の温度を下げることを特徴とする請求項３に記載の自走式電気掃除機。
【考案の詳細な説明】
【技術分野】
【０００１】
本考案は、家電製品に関し、特に自走式電気掃除機に関するものである。
【背景技術】
【０００２】
２０世紀９０年代中頃以後から、中国においての電気掃除機の販売が急速的に上昇した。現在の電気掃除機は、機能が多くて、きれいな外観を持って、値段が安くて、よく売られている。色々な掃除機の中において、自走式電気掃除機が使用者の注目を集めている。自走式電気掃除機は、設定されるプログラムに基づいて、自動的に掃除を行うとともに、自動的原の位置に戻って充電をすることができるので、利便性が高い。しかし、自走式電気掃除機は、ただ掃除機能しか実現することができないので、他の機能を実現することができない。
【考案の概要】
【考案が解決しようとする課題】
【０００３】
以上の問題点に鑑みて、本考案は、多様な機能を持っている自走式電気掃除機を提供することを目的とする。
【課題を解決するための手段】
【０００４】
上記の課題を解決するために、以下のような本考案の自走式電気掃除機を提供する。本考案の自走式電気掃除機は、本体と、集塵箱と、ファンユニットと、移動ユニットと、を備える。本体は、底面と、底面と対向する頂面と、頂面と底面を連結する側面と、を備える。移動ユニットは、本体の底面に形成されている。本体は、収容腔と、入風通路と、排風通路と、をされに備える。収容腔は、本体の頂面に設けられ、ファンユニットは、収容腔に設置されている。集塵箱の形状は、収容腔と組み合えるように形成された。集塵箱は、ファンユニットの上に位置するように収容腔内に取り付けられている。入風通路の入口は、底面に設けられ、且つ収容腔と連通されている。排風通路の出口は、側面に設けられている。入風通路と排風通路とは、両方とも本体に連通され、且つ集塵箱とファンユニットにより互いに連通されている。除湿ユニットは、収容腔の側壁に設置されている加熱冷却部材を備える。加熱冷却部材は、集塵箱に近接して設置されている冷却端と、冷却端と相対するように排風通路の上に設置されている加熱端と、を備える。
【考案の効果】
【０００５】
前述したとおり、本考案の自走式電気掃除機が除湿ユニットを備えているので、空気中の湿度が高い際、前記除湿ユニットにより空気中の水分を除去して、空気中の湿度を下げることができる。これにより、本考案の自走式電気掃除機は、掃除の機能をじつげんするとともに、除湿の機能も実現することができる。
【図面の簡単な説明】
【０００６】
【図１】本考案に係る自走式電気掃除機の平面図である。
【図２】図１に示した自走式電気掃除機のＩＩ−ＩＩ'線に沿う断面図である。
【図３】図１に示した自走式電気掃除機のＩＩＩ−ＩＩＩ'線に沿う断面図である。
【図４】本考案に係る自走式電気掃除機の集塵箱の平面図である。
【図５】図４に示した自走式電気掃除機の集塵箱のＶ−Ｖ'線に沿う断面図である。
【考案を実施するための形態】
【０００７】
以下、図面に基づいて、本考案に係る自走式電気掃除機について詳細に説明する。
【０００８】
図１〜図４に示したとおり、本考案の自走式電気掃除機１０は、本体１１と、集塵箱１２と、ファンユニット１３と、移動ユニット１４と、除湿ユニット１５と、を備える。本体１１は、底面１１１と、該底面１１と対向する頂面１１２と、頂面１１２と底面１１１を連結する側面１１３と、を備える。移動ユニット１４は、地面と接触して自走式電気掃除機１０を移動させるように底面１１に形成されている。本体１１は、収容腔１１４と、入風通路１１５と、排風通路１１６と、をさらに備える。収容腔１１４は、本体１１の頂面１１２に設けられている。ファンユニット１３は、収容腔１１４に設置されている。集塵箱１２の形状は、収容腔１１４と組み合えるように形成されている。集塵箱１２は、ファンユニット１３の上に位置するように収容腔１１４内に取り付けられている。入風通路１１５の入口１１５２は、底面１１１に設けられ、且つ収容腔１１４と連通されている。排風通路１１６の出口１１６２は、本体１１の側面１１３に設けられている。入風通路１１５と排風通路１１６とは、両方とも本体１１に連通され、且つ集塵箱１２とファンユニット１３により互いに連通されているので、空気が流れることができる。除湿ユニット１５は、収容腔１１４の側壁に設置されている加熱冷却部材１５２を備える。加熱冷却部材１５２は、冷却端１５２２と、冷却端１５２２の反対側にある加熱端１５２４と、を備える。冷却端１５２２は、集塵箱１２に近接して設置され、加熱端１５２４は、排風通路１１６の上に設置されてる。
【０００９】
本考案の自走式電気掃除機を使用する際、ファンユニット１３のファンが回転して、局部に負圧が発生するので、埃が空気と共に入風通路１１５から集塵箱１２に吸い込まれる。集塵箱１２により、埃又はゴミは、集塵箱１２に残され、空気は、排風通路１１６から排出される。空気の湿度が高い際、除湿ユニット１５を制御することにより除湿を行うことができる。詳しく説明すれば、除湿ユニット１５の加熱冷却部材１５２を駆動して、加熱冷却部材１５２の冷却端１５２２によって、集塵箱１２の温度を下げる。空気が集塵箱１２を通過する際、凝結作用により空気中の部分の水分が集塵箱１２の内壁に付着されるので、空気中の水分を減少することができる。空気が排風通路１１６から排出される際は、加熱端１５２４によって空気を再度加熱する。冷却された空気の温度が一定に上がるように加熱することにより、排出される空気の湿度を下げることができる。従って、湿度の高い（例えば、空気の湿度が８０％を超える）地域又は季節において、本考案の自走式電気掃除機１０によって、空気中の湿度を下げることができる。即ち、空気の湿度を適当（例えば、空気の湿度を４０〜６０％に制御する）な範囲に調節して、高湿度による生活への影響を避けることができる。例えば、部屋の壁に生じた水滴により、リウマチ又は呼吸器病などが発生することを防ぐことができる。また、本考案の自走式電気掃除機１０は、使用者がコントロールーしなくても、所定の区域において、自走しながら掃除と除湿を行うことができるので、空気の流れを促進するとともに、空気の質を改善することができる。従って、使用者の利便性を高めるとともに、使用者に良好な生活環境を提供することができる。
【００１０】
図５に示す集塵箱１２は、熱伝導率の高い材料から製造された。例えば、金属材料から製造して、冷却端１５２２と伝熱するようにして集塵箱１２の温度を下げる。集塵箱１２に吸い込まれる埃は、集塵箱１２内に設置されている濾過網１２１により、埃又はゴミのみが集塵箱１２内に留められる。詳しく説明すれば、集塵箱１２は、集塵腔１２２と、ファン収容腔１２３と、集塵腔１２２とファン収容腔１２３との間を隔離する内壁体１２４と、を備える。集塵腔１２２の底部には、入風通路１１５と連通する集塵箱入風口１２５が設けられている。濾過網１２１は、集塵腔１２２内に位置するように集塵腔１２２の側壁に固定されている。排出された空気は、濾過網１２１によって濾過されるので、入風通路１１５から入った埃又はゴミは、集塵腔１２２に残される。ファン収容腔１２３とファンユニット１３とを組み立てる場合、ファンユニット１３がファン収容腔１２３に収容される。ファンユニット１３により集塵箱１２から排出された空気は、排風通路１１６によって自走式電気掃除機１０の外に排出される。図６に示した通り、水分、埃又はゴミなどが集塵箱１２の集塵箱入風口１２５から出ることを防止するため、集塵箱１２の集塵箱入風口１２５に防逆流突起１２６を設置する。防逆流突起１２６は、集塵箱入風口１２５と対向するように集塵箱１２の内壁に設置されている。
【００１１】
また、本実施形態において、自走式電気掃除機１０の知能性及び使用機能を高めるため、自走式電気掃除機１０に検出ユニット１６と、自動制御器（図示せず）とをさらに設けることができる。検出ユニット１６は、温度感知器（図示せず）と、湿度感知器（図示せず）と、を備える。温度感知器と湿度感知器とは、環境の温度と湿度を検出して得るデータを使用者に提供して、使用者が空気中の温度と湿度を把握できるようにする。自動制御器は、温度感知器と湿度感知器と除湿ユニット１５とにそれぞれ電気的に接続され、且つ温度感知器と湿度感知器により検出されたデータに基づいて除湿ユニット１５を制御する。除湿ユニット１５が自動制御器の制御に従って除湿動作を自動的に行うことができるので、自走式電気掃除機１０の知能性及び使用機能をさらに高めることができる。
【００１２】
除湿ユニット１５の加熱冷却部材１５２は、半導体冷却技術（ペルティエ原理による冷却技術）によって製造された半導体加熱冷却部材である。半導体加熱冷却部材は、エネルギー損失を減少することができるので、自走式電気掃除機１０の省エネ効果を高めるとともに、自走式電気掃除機１０の作動時間を延長することができる。
【００１３】
図６に示した通り、本考案の自走式電気掃除機１０に色々な機能を付与するため、自走式電気掃除機１０に加湿ユニット１７をさらに設けることができる。加湿ユニット１７は、儲水槽１７２と、加熱器１７４と、を備える。儲水槽１７２は、排風通路１１６に設置され、加熱器１７４は、儲水槽１７２の水を加熱できるように儲水槽１７２の所定の位置に設置されている。本実施例において、加熱器１７４は、電気抵抗線から形成され、且つ儲水槽１７２内部に設置されているが、本考案が上記実施例に限定されるものではない。また、加湿ユニット１７を自動制御器に電気接続させて、自動制御器が検出ユニット１６から受信した信号に基づいて加湿ユニット１７を制御するようにすることができる。従って、検出ユニット１６が空気中の湿度が低いと判断する場合、自動制御器が加湿ユニット１７を起動して空気中の湿度を増やすことができる。
【符号の説明】
【００１４】
１０  自走式電気掃除機
１１  本体
１１１  底面
１１２  頂面
１１３  側面
１１４  収容腔
１１５  入風通路
１１６  排風通路
１２  集塵箱
１２１  濾過網
１２２  集塵腔
１２３  ファン収容腔
１２４  内壁体
１２５  集塵箱入風口
１２６  防逆流突起
１３  ファンユニット
１４  移動ユニット
１５  除湿ユニット
１５２  加熱冷却部材
１５２２  冷却端
１５２４  加熱端
１６  検出ユニット
１７  加湿ユニット
１７２  儲水槽
１７４  加熱器
【図１】
0003184968.tif 000003
【図２】
0003184968.tif 000004
【図３】
0003184968.tif 000005
【図４】
0003184968.tif 000006
【図５】
0003184968.tif 000007